(57)【特許請求の範囲】
【請求項１】
指輪本体の両側面に傾斜させたネックチェーンが納まる深さの溝を１個もしくは複数形成し、その傾斜させた溝の傾斜方向は、それぞれの側面を正面にして見たときに同方向に傾斜して両側面のそれぞれが一対となって上記傾斜させた溝によってＶ（Ｕ）形を形成するように互いにずらして形成したことを特徴とする指輪。
【請求項２】
指輪本体の両側面に傾斜面を１個もしくは複数形成し、その傾斜面のそれぞれの端面をネックチェーンが納まる高さの傾斜端面とし、その傾斜端面の傾斜方向は、それぞれの側面を正面にして見たときに同方向に傾斜して両側面のそれぞれが一対となって上記傾斜端面によってＶ（Ｕ）形を形成するように互いにずらして形成したことを特徴とする指輪。
【請求項３】
指輪本体の両側面にネックチェーンが納まる高さの傾斜端面を形成する傾斜突起を１個もしくは複数形成し、その傾斜端面の傾斜方向は、それぞれの側面を正面にして見たときに同方向に傾斜して両側面のそれぞれが一対となって上記傾斜端面によってＶ（Ｕ）形を形成するように互いにずらして形成したことを特徴とする指輪。
【発明の詳細な説明】
【技術分野】
【０００１】
本発明は、ネックチェーンに下げてペンダントとして使用することもできる指輪に関する。
【背景技術】
【０００２】
指輪にネックチェーンを通してペンダントとして首から下げて利用することは一部の愛好者の間では従来から行われている。
【発明の概要】
【発明が解決しようとする課題】
【０００３】
しかしながら、指輪にネックチェーンを通して首から下げると、次に示すような問題がある。一般的に、ネックチェーンに対して指輪は直交する方向になるため、首から下げて使用した場合に、指輪が平面状に落ち着かず収まりが悪い。また、下げられた指輪が使用中に一定の個所でとどまらずに回ってしまうため、周囲につけた模様等に特定方向からの審美性が嗜好される指輪の場合には、ネックチェーンを通しての使用が難しい。さらに、外周にふくらみ部や飾り部があり、特定方向からの審美性が嗜好される指輪の場合においても、そのふくらみ部や飾り部の重みにより、該部分が下がった状態となってしまうので、そのふくらみ部や飾り部を上にした状態では、ペンダントとして使用することができない。
そこで本発明は、これらの問題を解決することを目的とする。
【課題を解決するための手段】
【０００４】
本発明は、指輪の両側面にそれぞれ傾斜する溝を一対にして形成し、それらの一対の溝がＶ（Ｕ）形を形成するように設けたものであり、この一対の溝を１個所もしくは複数個所にデザイン性を考慮して形成したものである。
例えば、外周にふくらみ部や飾り部等のポイント部が形成されている方向性のある指輪の場合には、そのふくらみ部や飾り部を挟むようにしてその両側面に一対の傾斜する溝をＶ（Ｕ）形を形成するように設けることにより、ネックチェーンはその溝に納まり、安定した状態でペンダントとして使用できることになる。
【０００５】
また、方向性のない指輪の場合には、回動を防ぐためやデザイン性を考慮して両側面に複数の対となる溝を形成して安定性を確保することができる。
さらに、上記溝に代えて両側面に傾斜面を形成し、その傾斜面のそれぞれの端面を傾斜端面とし、その傾斜端面によってＶ形を形成するようにしてもよい。
また、上記溝に代えて両側面に傾斜突起を形成し、その傾斜突起のそれぞれの端面を傾斜端面とし、その傾斜端面によってＶ形を形成するようにしてもよい。
【発明の効果】
【０００６】
以上のようにした指輪は、その両側でＶ（Ｕ）形を形成する一対の傾斜した溝によってネックチェーンがそのＶ（Ｕ）形溝内にはまり、これによってペンダントとして下げられた指輪は平面状におさまる状態で安定して使用することが可能となる。
【図面の簡単な説明】
【０００７】
【図１】実施例１の指輪を表す正面図
【図２】実施例１の指輪を表す平面図
【図３】実施例１の指輪を表す背面図
【図４】実施例１の指輪を表す左側面図
【図５】実施例１の指輪を表す右側面図
【図６】実施例１の指輪を表す底面図
【図７】実施例１の指輪を表す参考図
【図８】実施例２の指輪を表す正面図
【図９】実施例２の指輪を表す平面図
【図１０】実施例２の指輪を表す背面図
【図１１】実施例２の指輪を表す左側面図
【図１２】実施例２の指輪を表す右側面図
【図１３】実施例２の指輪を表す底面図
【図１４】実施例３の指輪を表す正面図
【図１５】実施例３の指輪を表す平面図
【図１６】実施例３の指輪を表す背面図
【図１７】実施例３の指輪を表す左側面図
【図１８】実施例３の指輪を表す右側面図
【図１９】実施例３の指輪を表す底面図
【図２０】実施例３の指輪を表す正面図
【図２１】実施例３の指輪を表す平面図
【図２２】実施例３の指輪を表す背面図
【図２３】実施例３の指輪を表す左側面図
【図２４】実施例３の指輪を表す右側面図
【図２５】実施例３の指輪を表す底面図
【図２６】実施例４の指輪を表す正面図
【図２７】実施例４の指輪を表す平面図
【図２８】実施例４の指輪を表す背面図
【図２９】実施例４の指輪を表す左側面図
【図３０】実施例４の指輪を表す右側面図
【図３１】実施例４の指輪を表す底面図
【図３２】実施例４の指輪を表す正面図
【図３３】実施例４の指輪を表す平面図
【図３４】実施例４の指輪を表す背面図
【図３５】実施例４の指輪を表す左側面図
【図３６】実施例４の指輪を表す右側面図
【図３７】実施例４の指輪を表す底面図
【発明を実施するための形態】
【０００８】
本発明の実施例を説明する。
【実施例１】
【０００９】
図１は正面図、図２は平面図である。
指輪１の一方の側面に傾斜させた溝２Ａを複数形成する。また、他方の側面に、図２に破線で表す傾斜させた溝２Ｂを複数形成する。
上記の各溝２Ａ、２Ｂの傾斜方向は、それぞれの側面を正面にして見たときに同方向に傾斜しており、それぞれが一対となってＶ（Ｕ）形を形成するように、図１に示す如く互いにずらして形成する。これによって１対の溝２Ａ、２Ｂを上から見るとＶ（Ｕ）形を形成するようになっている。
【００１０】
さらに、この溝２Ａ、２Ｂの傾斜角度は、指輪１にネックチェーン３を通して首からペンダントとして下げたときに形成されるＶ（Ｕ）形と合う角度がよいが、ネックチェーン３の長さや使用する首の太さ等でその角度は異なるため、一般的な使用状態を考慮すると一方の角度を４５°とし、９０°のＶ（Ｕ）形を形成するようにしておくとよい。
【００１１】
また、溝の深さおよび幅はデザイン性を考慮して適宜に定めればよく、本実施例では深さは０．８ｍｍ、幅は２．３ｍｍである。
なお、複数設けた一対の溝２Ａ、２Ｂの配置は、図示するような等間隔に限るものではなく、これもデザイン性を考慮して任意に定めればよく、また、その数も任意である。
【００１２】
このようにした指輪によると、図７に示す如く、ネックチェーン３を通してペンダントとして使用した際に、溝２Ａ、２Ｂ内にネックチェーン３がはまり、首に下げたときにネックチェーン３はＶ（Ｕ）形になって指輪は肌や被服上に平面状にきれいにおさまる状態で下げられることになる。
また、溝２Ａ、２Ｂにネックチェーン３が納まり、指輪はペンダントとしての使用中にその位置で定まって回りにくくなるので、特定方向からの審美性を意図した指輪の場合に、その方向性を保った状態での使用が可能となる。
【実施例２】
【００１３】
図８は正面図、図９は平面図である。
指輪１の外周にふくらみ部や飾り部等のポイント部４がある方向性のある指輪１の場合、そのポイント部４を挟んでその両側に上記実施例１と同様のＶ（Ｕ）形を形成する傾斜する溝２Ａ、２Ｂを形成する。
上記の溝２Ａ、２Ｂの幅や傾斜角等は上記実施例１の説明と同様である。
このような指輪によると、Ｖ（Ｕ）形の溝２Ａ、２Ｂにネックチェーン３が納まり、指輪はペンダントとしての使用中にポイント部４が上の位置で定まって回りにくくなるので、所望した位置で下げた状態で使用することが可能となる。
【実施例３】
【００１４】
図１４および図２０は正面図、図１５および図２１は平面図である。
上記実施例１および実施例２においては、指輪１に一対の傾斜した溝２Ａ、２Ｂを形成することにより、ネックチェーン３にペンダントとして下げたときの平面状の位置決めと安定の確保を行ったが、本実施例では、指輪１の両側面に複数個所もしくは一個所に、一対の傾斜面５Ａ、５Ｂを形成する。
【００１５】
上記した各傾斜面５Ａ、５Ｂの端面を傾斜端面６Ａ、６Ｂとし、その傾斜端面６Ａ、６Ｂはそれぞれの側面を正面にして見たときに同方向に傾斜しており、図１５、図２１に示す如く、傾斜端面６Ａ、６Ｂそれぞれが一対となってＶ（Ｕ）形を形成するように互いにずらして形成する。これによって１対の傾斜端面６Ａ、６Ｂを上から見ると、Ｖ（Ｕ）形を形成するようになっている。
この傾斜端面６Ａ、６Ｂの高さおよび傾斜角度は上記実施例の溝２Ａ、２Ｂと同様でよい。
【００１６】
このような指輪によると、Ｖ（Ｕ）形の傾斜端面６Ａ、６Ｂにネックチェーン３が納まるために、指輪はペンダントとしての使用中に平面状の位置決めと安定の確保ができ、またポイント部４がある場合は上の位置で定まって回りにくくなるので、所望した位置で下げて使用することが可能となる。
【実施例４】
【００１７】
図２６および図３２は正面図、図２７および図３３は平面図である。
上記実施例３においては、指輪１の両側面に傾斜面５Ａ、５Ｂを形成して、その端面として傾斜端面６Ａ、６Ｂを形成したが、本実施例では、指輪１の両側面に傾斜突起７Ａ、７Ｂを形成し、その端面として傾斜端面８Ａ、８Ｂを形成した。
【００１８】
両側のそれぞれの傾斜端面８Ａ、８Ｂはそれぞれの側面を正面にして見たときに同方向に傾斜しており、図２７および図３３に示す如く、それぞれが一対となってＶ（Ｕ）形を形成するように互いにずらして形成する。これによって一対の傾斜端面８Ａ、８Ｂを上から見るとＶ（Ｕ）形を形成するようになっている。
傾斜突起７Ａ、７Ｂの高さおよび傾斜角度は、上記実施例１および実施例２の溝２Ａ、２Ｂと同様でよい。
【００１９】
このような指輪によると、Ｖ（Ｕ）形の傾斜端面８Ａ、８Ｂ間にネックチェーン３が納まるために、指輪はペンダントとしての使用中に平面状の位置決めと安定の確保ができ、またポイント部４がある場合は上の位置で定まって回りにくくなるので、所望した位置で下げて使用することが可能となる。
【符号の説明】
【００２０】
１    指輪
２Ａ、２Ｂ    溝
３    ネックチェーン
４    ポイント部
５Ａ、５Ｂ    傾斜面
６Ａ、６Ｂ    傾斜端面
７Ａ、７Ｂ    傾斜突起
８Ａ、８Ｂ    傾斜端面
【図１】
0005808238.tif 000002
【図２】
0005808238.tif 000003
【図３】
0005808238.tif 000004
【図４】
0005808238.tif 000005
【図５】
0005808238.tif 000006
【図６】
0005808238.tif 000007
【図７】
0005808238.tif 000008
【図８】
0005808238.tif 000009
【図９】
0005808238.tif 000010
【図１０】
0005808238.tif 000011
【図１１】
0005808238.tif 000012
【図１２】
0005808238.tif 000013
【図１３】
0005808238.tif 000014
【図１４】
0005808238.tif 000015
【図１５】
0005808238.tif 000016
【図１６】
0005808238.tif 000017
【図１７】
0005808238.tif 000018
【図１８】
0005808238.tif 000019
【図１９】
0005808238.tif 000020
【図２０】
0005808238.tif 000021
【図２１】
0005808238.tif 000022
【図２２】
0005808238.tif 000023
【図２３】
0005808238.tif 000024
【図２４】
0005808238.tif 000025
【図２５】
0005808238.tif 000026
【図２６】
0005808238.tif 000027
【図２７】
0005808238.tif 000028
【図２８】
0005808238.tif 000029
【図２９】
0005808238.tif 000030
【図３０】
0005808238.tif 000031
【図３１】
0005808238.tif 000032
【図３２】
0005808238.tif 000033
【図３３】
0005808238.tif 000034
【図３４】
0005808238.tif 000035
【図３５】
0005808238.tif 000036
【図３６】
0005808238.tif 000037
【図３７】
0005808238.tif 000038